(57)【要約】      （修正有）【課題】メモリカードコネクタの提供。【解決手段】導電端子３を具えた絶縁フレーム２と、絶縁フレームに組付けられてメモリカードの定位挿入と退出を案内するカード退出機構４と、絶縁フレーム外部を被覆する遮蔽体５とを具え、該カード退出機構が軸方向にあって９０度の連続斜道で相互に噛み合う駆動軸４０と従動軸４１、及び絶縁フレームに組付けられ、軸面が従動軸と嵌合され一体とされた従動軸カバー４２、及び該従動軸カバーの当接ブロック４２２により押動されるスライドロッド４３を具え、メモリカード挿入時に、該駆動軸が従動軸を移動させ並びに連続斜道により従動軸を回転させ、従動軸カバーの当接ブロックをスライドブロックの当接部４３１に対する当接より離脱させ、メモリカード側辺に保留された嵌め溝内に嵌合させ、メモリカード挿入後の挿入と反対方向の離脱を防止する。【選択図】図１
0003109072.tif 000002
【実用新案登録請求の範囲】
【請求項１】
メモリカードを直接押圧することでメモリカードを定位に挿入ロック或いは退出させられるメモリカードコネクタであり、絶縁フレーム、カード退出機構、遮蔽体を具え、
該絶縁フレームは本体と両側辺を具え、該本体に底辺が設けられ、該底辺に複数の端子収容溝が設けられて導電端子が収容され、両側辺と底辺が隣接して共同でスロットを形成し、該スロットがメモリカードの挿入並びに収容に供され、
該カード退出機構は、該絶縁フレームの両側辺の一方に組付けられて、駆動軸、従動軸、従動軸カバー、スライドロッド、及び弾性部品を具え、
該駆動軸は、その軸方向に９０度の第１連続斜道が設けられ、且つ第１連続斜道の反対端にＬ形連動アーム及びスライドロッドが設けられ、該スライドロッドが弾性的に固定され、その一端が当接部とされ、
該従動軸は、その軸方向に駆動軸と相互に噛み合う９０度の第２連続斜道が設けられ、且つその軸面四周に第１凹凸嵌め溝が設けられ、
該従動軸カバーは、メモリカードコネクタの絶縁フレームに組付けられ、並びに従動軸に嵌合され、且つその軸面四周に従動軸と相互に噛み合う第２凹凸嵌め溝が設けられ、且つ１８０度の相反する面に当接ブロックが設けられ、
該スライドロッドは旋回アーム式に駆動軸に組付けられ、その自由端が当接部とされ、従動軸カバーの当接ブロック付近に位置して組立後に該当接ブロックに当接し、エネルギーを保存し、
該弾性部品は、従動軸の第２連続斜道の別端に組付けられて従動軸移動後の回復力を提供し、
該遮蔽体は、絶縁フレームの本体の一側に組付けられたことを特徴とする、メモリカードコネクタ。
【請求項２】
請求項１記載のメモリカードコネクタにおいて、Ｌ形連動アームが駆動軸と一体に形成され、そのＬ形の接続部分の内側に４５度の斜面が設けられてメモリカードの誤挿入を防止することを特徴とする、メモリカードコネクタ。
【請求項３】
請求項２記載のメモリカードコネクタにおいて、Ｌ形連動アームと駆動軸の間に固定溝が設けられ、スライドロッドの一端をサスペンションアーム式に固定するのに供されることを特徴とする、メモリカードコネクタ。
【請求項４】
請求項３記載のメモリカードコネクタにおいて、第２連続斜道の別端に固定柱が設けられたことを特徴とする、メモリカードコネクタ。
【請求項５】
請求項３記載のメモリカードコネクタにおいて、弾性部品が圧縮バネとされ、従動軸の固定柱に組み合わされたことを特徴とする、メモリカードコネクタ。
【請求項６】
請求項４記載のメモリカードコネクタにおいて、スライドロッドの当接部がスライドロッドの一端を９０度に折り曲げて形成されたことを特徴とする、メモリカードコネクタ。
【請求項７】
請求項１記載のメモリカードコネクタにおいて、メモリカードの読み書き起動に供される第１タッチスイッチが設けられ、該第１タッチスイッチが絶縁フレームの底辺内側に設けられ、該第１タッチスイッチは二つのバネ片が常態で常閉或いは常開形態で設置されてなることを特徴とする、メモリカードコネクタ。
【請求項８】
請求項１記載のメモリカードコネクタにおいて、メモリカードの定位挿入後の信号制御を提供する第２タッチスイッチが設けられ、該第２タッチスイッチがカード退出機構の側辺に設けられ、該第２タッチスイッチは二つのバネ片が常態で常閉或いは常開形態で設置されてなることを特徴とする、メモリカードコネクタ。
【請求項９】
請求項６記載のメモリカードコネクタにおいて、遮蔽体と絶縁フレームの組合せが、両者の対応部分に設けられた相互に係合する係止溝と係止体により完成されることを特徴とする、メモリカードコネクタ。
【請求項１０】
請求項７記載のメモリカードコネクタにおいて、従動軸カバーの絶縁フレームへの組付けは、絶縁フレームの側辺に設けられた嵌め溝と、従動軸カバーのそれに対応する部分に設けられた凸塊により完成されることを特徴とする、メモリカードコネクタ。
【考案の詳細な説明】
【技術分野】
【０００１】
本考案は一種のメモリカードコネクタに係り、更に詳しくは、メモリカードとマザーボード間の信号伝送に用いられ、且つメモリカードの定位挿入と退出を、直接メモリカードを押圧することで達成できるメモリカードコネクタに関する。
【背景技術】
【０００２】
メモリカードコネクタの構造種類は多く、メモリカードの挿入と退出をメモリカードを押圧する操作により行なえるプッシュ式（Ｐｕｓｈ−Ｐｕｓｈ  Ｔｙｐｅ）メモリカードコネクタも提供されており、その構造は、導電端子を具えた絶縁フレーム、絶縁フレームに組付けられてメモリカードの挿入と退出を案内するカード退出機構、及び絶縁フレーム外周を被覆する遮蔽体を具えている。該カード退出機構はメモリカードの挿入と退出時の定位案内機能を提供するが、メモリカード挿入時にロックする機能を具備せず、このため、メモリカード挿入後に外力により挿入と反対方向に引き抜かれたり或いは衝突を受けたり、或いは悪い作業環境で使用されたりする時、メモリカードがぐらつき位置ずれして導電端子と確実に接触不能となり、このため、電気信号の伝送が不安定となり、更には導電端子が不当に摩損することがある。
【考案の開示】
【考案が解決しようとする課題】
【０００３】
本考案は一種のメモリカードコネクタを提供することを目的とし、それは、メモリカードの挿入と退出の定位案内機能を提供し、且つメモリカード挿入後の定位ロック効果を提供し、且つロック解除はメモリカード退出の操作によらねば達成できず、これにより、外力により挿入と反対方向に衝撃を受けても、ぐらつきや位置ずれを発生せず、電気信号の安定した伝送を確保できるものとする。
【課題を解決するための手段】
【０００４】
請求項１の考案は、メモリカードを直接押圧することでメモリカードを定位に挿入ロック或いは退出させられるメモリカードコネクタであり、絶縁フレーム、カード退出機構、遮蔽体を具え、
該絶縁フレームは本体と両側辺を具え、該本体に底辺が設けられ、該底辺に複数の端子収容溝が設けられて導電端子が収容され、両側辺と底辺が隣接して共同でスロットを形成し、該スロットがメモリカードの挿入並びに収容に供され、
該カード退出機構は、該絶縁フレームの両側辺の一方に組付けられて、駆動軸、従動軸、従動軸カバー、スライドロッド、及び弾性部品を具え、
該駆動軸は、その軸方向に９０度の第１連続斜道が設けられ、且つ第１連続斜道の反対端にＬ形連動アーム及びスライドロッドが設けられ、該スライドロッドが弾性的に固定され、その一端が当接部とされ、
該従動軸は、その軸方向に駆動軸と相互に噛み合う９０度の第２連続斜道が設けられ、且つその軸面四周に第１凹凸嵌め溝設けられ、
該従動軸カバーは、メモリカードコネクタの絶縁フレームに組付けられ、並びに従動軸に嵌合され、且つその軸面四周に従動軸と相互に噛み合う第２凹凸嵌め溝が設けられ、且つ１８０度の相反する面に当接ブロックが設けられ、
該スライドロッドは旋回アーム式に駆動軸に組付けられ、その自由端が当接部とされ、従動軸カバーの当接ブロック付近に位置して組立後に該当接ブロックに当接し、エネルギーを保存し、
該弾性部品は、従動軸の第２連続斜道の別端に組付けられて従動軸移動後の回復力を提供し、
該遮蔽体は、絶縁フレームの本体の一側に組付けられたことを特徴とする、メモリカードコネクタとしている。
請求項２の考案は、請求項１記載のメモリカードコネクタにおいて、Ｌ形連動アームが駆動軸と一体に形成され、そのＬ形の接続部分の内側に４５度の斜面が設けられてメモリカードの誤挿入を防止することを特徴とする、メモリカードコネクタとしている。
請求項３の考案は、請求項２記載のメモリカードコネクタにおいて、Ｌ形連動アームと駆動軸の間に固定溝が設けられ、スライドロッドの一端をサスペンションアーム式に固定するのに供されることを特徴とする、メモリカードコネクタとしている。
請求項４の考案は、請求項３記載のメモリカードコネクタにおいて、第２連続斜道の別端に固定柱が設けられたことを特徴とする、メモリカードコネクタとしている。
請求項５の考案は、請求項３記載のメモリカードコネクタにおいて、弾性部品が圧縮バネとされ、従動軸の固定柱に組み合わされたことを特徴とする、メモリカードコネクタとしている。
請求項６の考案は、請求項４記載のメモリカードコネクタにおいて、スライドロッドの当接部がスライドロッドの一端を９０度に折り曲げて形成されたことを特徴とする、メモリカードコネクタとしている。
請求項７の考案は、請求項１記載のメモリカードコネクタにおいて、メモリカードの読み書き起動に供される第１タッチスイッチが設けられ、該第１タッチスイッチが絶縁フレームの底辺内側に設けられ、該第１タッチスイッチは二つのバネ片が常態で常閉或いは常開形態で設置されてなることを特徴とする、メモリカードコネクタとしている。
請求項８の考案は、請求項１記載のメモリカードコネクタにおいて、メモリカードの定位挿入後の信号制御を提供する第２タッチスイッチが設けられ、該第２タッチスイッチがカード退出機構の側辺に設けられ、該第２タッチスイッチは二つのバネ片が常態で常閉或いは常開形態で設置されてなることを特徴とする、メモリカードコネクタとしている。
請求項９の考案は、請求項６記載のメモリカードコネクタにおいて、遮蔽体と絶縁フレームの組合せが、両者の対応部分に設けられた相互に係合する係止溝と係止体により完成されることを特徴とする、メモリカードコネクタとしている。
請求項１０の考案は、請求項７記載のメモリカードコネクタにおいて、従動軸カバーの絶縁フレームへの組付けは、絶縁フレームの側辺に設けられた嵌め溝と、従動軸カバーのそれに対応する部分に設けられた凸塊により完成されることを特徴とする、メモリカードコネクタとしている。
【考案の効果】
【０００５】
本考案は一種のメモリカードコネクタを提供し、それは、メモリカードの挿入と退出の定位案内機能を提供し、且つメモリカード挿入後の定位ロック効果を提供し、且つロック解除はメモリカード退出の操作によらねば達成できず、これにより、外力により挿入と反対方向に衝撃を受けても、ぐらつきや位置ずれを発生せず、電気信号の安定した伝送を確保できる。
【考案を実施するための最良の形態】
【０００６】
本考案のメモリカードコネクタの特徴は、メモリカードのカード退出機構が、駆動軸、従動軸、従動軸カバー及びスライドロッド及び弾性部品を具え、そのうち該駆動軸に連動アームが設けられ、且つそれが従動軸と軸方向にあって９０度の連続斜道で相互に組み合わされ、メモリカードが挿入されて該連動アームが推移する過程で、該従動軸が移動させられると共に連続斜道により該従動軸を定位に回転させることにある。
【０００７】
また、従動軸カバーはメモリカードコネクタの絶縁フレームに固定され、並びに従動軸と嵌合され、且つ両者が軸面上で凹凸により相互に嵌合され一体とされ、これにより従動軸が安定して推移、回転する。
【０００８】
更に、該従動軸カバーは１８０度の相反する面にそれぞれ当接ブロックが設けられ、スライドロッドが回転アーム式に駆動軸に組付けられ、その自由端が当接部とされて従動軸の当接ブロック付近に位置し、組付け後に当接ブロックに押されてエネルギーを蓄積し、メモリカード挿入後に、スライドロッドが駆動軸の移動により、当接ブロックをスライドロッドの当接部に対する当接より離脱させて、当接部をメモリカード側辺に保留された嵌め溝内に嵌合させて、メモリカード挿入後の挿入と反対方向の離脱を防止する。
【実施例１】
【０００９】
図１に示されるように、本考案のメモリカードコネクタ１は、絶縁フレーム２、導電端子３、カード退出機構４、遮蔽体５を具えている。
【００１０】
該絶縁フレーム２は、本体２０及び両側辺２１、２２を具え、そのうち本体２０に底辺２０１が設けられ、それに複数の端子収容溝２０２が設けられて導電端子３を収容し、両側辺２１、２２と底辺２０１が隣接して共同でスロットを形成し、メモリカードの挿入と収容に供する。また、側辺２１にメモリカード読み書き起動に供される第１タッチスイッチ６が設けられ、該第１タッチスイッチ６は、常開式組付け形態の二つのバネ片６０、６１を具え、即ち組付け後の二つのバネ片６０、６１は接触せず、メモリカード（未表示）が挿入された後の圧迫により相互に接触する。また、底辺２０１に第２タッチスイッチ７が設けられ、同様に二つの常開式組付け形態の二つのバネ片７０、７１で組成されている。また、両側辺２１、２２の外側両端に係止体２３、２４が設けられ、それは遮蔽体５の対応部分に設けられた係止溝５０、５１と係合して一体に結合され、これは図２に示されるとおりである。また、側辺２２に嵌め溝２６が設けられ、後述の従動軸カバー４２の固定に用いられる。
【００１１】
カード退出機構４は、絶縁フレーム２の側辺２２に組付けられ、駆動軸４０、従動軸４１、従動軸カバー４２、スライドロッド４３、及び弾性部品４４を具えている。
【００１２】
該駆動軸４０は、その軸方向に９０度の連続斜道４０１が設けられ、且つ該第１連続斜道４０１の反対端にＬ形連動アーム４０２が一体に設けられ、該Ｌ形連動アーム４０２の接続部分の内側に４５度の斜面４０３が設けられてメモリカードの誤挿入を防止する。また、Ｌ形連動アーム４０２と駆動軸４０の間に固定溝４０４が設けられ、該スライドロッド４３の一端がサスペンションアーム式に固定されて、それが適宜弾性を具備するものとされ、該スライドロッドの自由端が当接部とされ、該当接部は該スライドロッド４３の一端が９０度に折り曲げられて形成される。
【００１３】
従動軸４１は、その軸方向に駆動軸４０と相互に噛み合う９０度の第２連続斜道４１０が設けられ、且つその軸面四周に第１凹凸嵌め溝４１１が設けられ、別に底部に固定柱４１２が設けられ、該固定柱４１２は弾性部品４４を固定する。弾性部品４４は、圧縮バネとされ、前述のように従動軸４１の固定柱４１２に組み合わされ、並びに底辺２０１に設けられた位置決め収容溝２５（図１）内に収容され、該従動軸４１の移動後の回復力を提供する。
【００１４】
従動軸カバー４２は、従動軸４１に組付けられ、その軸面四周に従動軸４１と相互に噛み合う第２凹凸嵌め溝４２１が設けられ、且つ１８０度の反対面に当接ブロック４２２と凸塊４２３が設けられ、そのうち該当接ブロック４２２は組付け後にスライドロッド４３の当接部４３１に当接し（図５）、駆動軸４０が移動後にスライドロッド４３の当接部４３１に対する当接より離脱し、スライドロッド４３を保存エネルギーにより回復させ、当接部４３１をメモリカード８側辺の嵌め溝８０内に嵌入させる（図６）。また、該凸塊４２３は該嵌め溝２６内に組付けられ、従動軸カバー４２を固定する。
【００１５】
図３のＡからＣ、及び図７、８を参照されたい。該駆動軸４０と従動軸４１の作動関係は、両者の軸方向に噛み合う第１、２連続斜道４０１、４１２により、駆動軸４０のＬ形連動アーム４０２が挿入されたメモリカード（図示せず）により押動される時、該従動軸４１が横向きに押動させられ、並びに同時に回転し（図の矢印に示されるとおり）、回転の経路は第１、２連続斜道４０１、４１２の噛み合いにより、メモリカード定位挿入後に、該従動軸４１の第１凹凸嵌め溝４１１が転向し、従動軸カバー４２の第２凹凸嵌め溝４２１と嵌合して一体になることができず（図７）、この時、弾性部品４４がその回復力により従動軸カバー４２と駆動軸４０を一緒に反対方向に押し戻し（図３のＡ）、即ちメモリカード挿入後の状態となす。カード退出時には、該メモリカードが押圧されると、駆動軸４０は従動軸カバー４２に向けて移動し、並びに第１、２連続斜道４０１、４１２の噛み合いにより（図３のＢ）、該従動軸４１が回転させられて、その第１凹凸嵌め溝４１１が転向し、従動軸カバー４２の第２凹凸嵌め溝４２１と嵌合して一体となり（図７）、メモリカード退出後、該弾性部品４４がその回復力により従動軸４１と駆動軸４０を一体に反対方向に押し戻し（図３のＣ）、即ちメモリカード挿入前の状態とする。
【００１６】
図４、図５、６、及び図７、８に示されるように、メモリカード８が本考案のメモリカードコネクタ１に挿入される時、図４に示されるように、該メモリカード８は角を切り取られた一側が正確に挿入されなければならず、そうでなければ、Ｌ形連動アーム４０２の斜面４０３に阻止されて定位に挿入できない。メモリカード８の挿入の過程で、前述の図３のＡからＢに示されるように、駆動軸４０が従動軸４１を回転させ、これによりもともとスライドロッド４３の当接部４３１に当接していた当接ブロック４２２が当接状態より離脱し（図５及び図７）、蓄積されたエネルギーにより移動してメモリカード８の嵌め溝８０内に係合する（図６及び図８）。こうして、メモリカード８が定位に挿入された後には外力により挿入と反対方向に引っ張られても、ぐらつきや位置ずれを発生せず、安定した電気信号伝送を確保できる。また、メモリカード８は弾性片６０、６１及び７０、７１の接触により電源を導通させ、これにより読み書き起動及び位置決め信号制御を完成する。
【００１７】
総合すると、本考案のメモリカードコネクタは確実に創作の目的を達成し、実用新案登録の要件を具備している。なお、以上の実施例は本考案の範囲を限定するものではなく、本考案に基づきなしうる細部の修飾或いは改変は、いずれも本考案の請求範囲に属するものとする。
【図面の簡単な説明】
【００１８】
【図１】本考案のメモリカードコネクタの立体分解図である。
【図２】図１の立体組合せ図である。
【図３】本考案の駆動軸と従動軸の連続動作表示図である。
【図４】本考案のメモリカードコネクタより遮蔽体を取り外した平面図である。
【図５】図４の５−５断面図である。
【図６】図５の動作表示図である。
【図７】本考案の駆動軸動作後のスライドロッドの異なる位置の表示図である。
【図８】本考案の駆動軸動作後のスライドロッドの異なる位置の表示図である。
【符号の説明】
【００１９】
１  メモリカードコネクタ          ２  絶縁フレーム
３  導電端子                      ４  カード退出機構
５  遮蔽体                        ６  第１タッチスイッチ
７  第２タッチスイッチ            ８  メモリカード
２０  本体                        ２１、２２  側辺
２３、２４  係止体                ２５  位置決め収容溝
２６  嵌め溝                      ２０１  底辺
２０２  端子収容溝                ４０  駆動軸
４１  従動軸                      ４２  従動軸カバー
４３  スライドロッド              ４４  弾性部品
４０１  第１連続斜道              ４０２  Ｌ形連動アーム
４０３  斜面                      ４０４  固定溝
４１２  第２連続斜道              ４２１  第２凹凸嵌め溝
４２２  当接ブロック              ４２３  凸塊
４３１  当接部                    ５０、５１  係止溝
６０、６１、７０、７１  バネ片
【図１】
0003109072.tif 000003
【図２】
0003109072.tif 000004
【図３】
0003109072.tif 000005
【図４】
0003109072.tif 000006
【図５】
0003109072.tif 000007
【図６】
0003109072.tif 000008
【図７】
0003109072.tif 000009
【図８】
0003109072.tif 000010